(57)【要約】【課題】鉄塔に沿って昇降自在な足場を設け、この足場の下面に、鉄塔の全体を略囲繞するネットを設け、当該養生ネットを鉄塔に沿って昇降自在に設けたことにより、鉄塔の上部に足場を設けることが出来ると共に養生ネットを鉄塔に対して任意の高さに容易に設置することが出来る昇降構造を提供する。【解決手段】板状体の中央部に鉄塔Ａの基部４が入る大きさの開口部を有し、当該板状体の外周に手摺り７を有し、作業者が当該板状体の上を歩行可能な足場６を設け、当該足場６を、中央部の開口部に鉄塔Ａの基部４を入れて設置し、当該足場６を上記鉄塔Ａの上部から垂下した三本以上の線状体に支持させ、当該線状体を巻き上げ又は繰り出す手段を設け、これらの線状体の長さを変化させることにより上記足場６を昇降自在とし、当該足場６の外周縁又は下面から当該鉄塔Ａを略囲繞する大きさの略筒状の養生ネット１２を当該鉄塔Ａに沿って垂下した。【選択図】図１
0003122935.tif 000002
【実用新案登録請求の範囲】
【請求項１】
板状体の中央部に鉄塔の基部が入る大きさの開口部を有し、当該板状体の外周に手摺りを有し、作業者が当該板状体の上を歩行可能な足場を設け、当該足場を、中央部の開口部に鉄塔の基部を入れて設置し、当該足場を上記鉄塔の上部から垂下した三本以上の線状体に支持させ、当該線状体を巻き上げ又は繰り出す手段を設け、これらの線状体の長さを変化させることにより上記足場を昇降自在とし、
当該足場の外周縁又は下面から当該鉄塔を略囲繞する大きさの略筒状の養生ネットを当該鉄塔に沿って垂下したことを特徴とする、鉄塔における足場及び養生ネットの昇降構造。
【請求項２】
上記足場の開口部に沿って内周縁を複数の分割板体に分割し、当該複数の各分割板体の一側を蝶番型式により周囲の足場に支持させて起き上げ自在に設けて当該足場の開口部の大きさを拡大又は縮小自在に設けたことを特徴とする、上記請求項１に記載の鉄塔における足場及び養生ネットの昇降構造。
【請求項３】
上記起き上げ自在に設けた各分割板体を上記開口部上に倒した際、少なくとも当該各分割板体の上面の一部を当該鉄塔の上部から垂下した線状体によって支持したことを特徴とする、上記請求項２に記載の鉄塔における足場及び養生ネットの昇降構造。
【請求項４】
上記足場を支持する線状体の下端を上記足場に設けた各昇降用巻き上げ機に固定し、当該各昇降用巻き上げ機を回転させて当該線状体を巻き上げ又は繰り出して上記足場を当該鉄塔に沿って昇降自在に設けたことを特徴とする、上記請求項１、２又は３の何れかに記載の鉄塔における足場及び養生ネットの昇降構造。
【請求項５】
上記足場の外周縁又は下面から垂下した養生ネットは、上端部をロープに固定して当該ロープを当該足場の外周縁又は下面から垂下した金車に通して当該ロープを上下させることにより、養生ネットを当該鉄塔に沿って昇降自在に設けたことを特徴とする、上記請求項１、２、３又は４の何れかに記載の鉄塔における足場及び養生ネットの昇降構造。
【考案の詳細な説明】
【技術分野】
【０００１】
この考案は、通信用、放送用、又は電力供給用のために建設されている鉄塔において、当該鉄塔を塗装や補修等を行う際に当該鉄塔の周りに垂れ下げる養生ネットの昇降構造に関するものである。
【背景技術】
【０００２】
従来、通信用、放送用、又は電力供給用のために数多くの鉄塔が建設されている。この様な鉄塔は、常時、風雨にさらされており、防錆などの塗装の損傷は早く、建設された後も塗装は何度も繰り返して行われている。
【０００３】
この様な場合の塗装方法として、既設の鉄塔の外形部の一部を囲繞し得る大きさの筒状で所定小高さ幅の単一の防護ネットを使用し、当該防護ネットで鉄塔の外側の一部を囲繞した状態で当該防護ネットを塗装すべき高さに対応して上下動かしながら順次塗装を行うというものがある。
【特許文献１】特開２００１−３４７２０３号公報
【考案の開示】
【考案が解決しようとする課題】
【０００４】
しかしながら、この塗装方法において、防護ネットで鉄塔の外側を囲繞するのは、実際、塗装作業を行う一定区間（上記公報では『所定小高さ幅の単一防護ネット』という）のみであって、一の塗装作業が終わる度に、次の作業個所まで、一々、防護ネットを移動させなければならず、手間がかかり、面倒である。また、その分時間もかかることになる。
【０００５】
そこで、この考案は、鉄塔に沿って昇降自在な足場を設け、この足場の下面に、鉄塔の全体を略囲繞するネットを設け、当該養生ネットを鉄塔に沿って昇降自在に設けたことにより、鉄塔の上部に足場を設けることが出来ると共に養生ネットを鉄塔に対して任意の高さに容易に設置することが出来る昇降構造を提供するものである。
【課題を解決するための手段】
【０００６】
請求項１の考案は、板状体の中央部に鉄塔の基部が入る大きさの開口部を有し、当該板状体の外周に手摺りを有し、作業者が当該板状体の上を歩行可能な足場を設け、当該足場を、中央部の開口部に鉄塔の基部を入れて設置し、当該足場を上記鉄塔の上部から垂下した三本以上の線状体に支持させ、当該線状体を巻き上げ又は繰り出す手段を設け、これらの線状体の長さを変化させることにより上記足場を昇降自在とし、当該足場の外周縁又は下面から当該鉄塔を略囲繞する大きさの略筒状の養生ネットを当該鉄塔に沿って垂下した鉄塔における足場及び養生ネットの昇降構造とした。
【０００７】
請求項２の考案は、上記足場の開口部に沿って内周縁を複数の分割板体に分割し、当該複数の各分割板体の一側を蝶番型式により周囲の足場に支持させて起き上げ自在に設けて当該足場の開口部の大きさを拡大又は縮小自在に設けた上記請求項１に記載の鉄塔における足場及び養生ネットの昇降構造とした。また、請求項３の考案は、上記起き上げ自在に設けた各分割板体を上記開口部上に倒した際、少なくとも当該各分割板体の上面の一部を当該鉄塔の上部から垂下した線状体によって支持した上記請求項２に記載の鉄塔における足場及び養生ネットの昇降構造とした。
【０００８】
請求項４の考案は、上記足場を支持する線状体の下端を上記足場に設けた各昇降用巻き上げ機に固定し、当該各昇降用巻き上げ機を回転させて当該線状体を巻き上げ又は繰り出して上記足場を当該鉄塔に沿って昇降自在に設けた上記請求項１、２又は３の何れかに記載の鉄塔における足場及び養生ネットの昇降構造とした。
【０００９】
また、請求項５の考案は、上記足場の外周縁又は下面から垂下した養生ネットは、上端部をロープに固定して当該ロープを当該足場の外周縁又は下面から垂下した金車に通して当該ロープを上下させることにより、養生ネットを当該鉄塔に沿って昇降自在に設けた上記請求項１、２、３又は４の何れかに記載の鉄塔における足場及び養生ネットの昇降構造とした。
【考案の効果】
【００１０】
請求項１の考案によれば、足場を中央部の開口部に鉄塔の基部を入れて設置し、当該足場を上記鉄塔の上部から垂下した線状体に支持し、当該足場に当該線状体を巻き上げ等する手段を設けて当該足場を昇降自在とし、当該足場の外周縁等から当該鉄塔を略囲繞する大きさの略筒状の養生ネットを当該鉄塔に沿って垂下したので、足場を鉄塔の上部に上げるだけで、簡単にこの鉄塔を囲繞する養生ネットを垂下させることが出来、養生ネットの中でチェア型ゴンドラ等を使用して鉄塔の塗装や補修等の作業をしても、塗料が鉄塔の周囲に飛散することがなく、安全、正確かつきれいに行うことが出来る。もちろん、強風等の悪天候の際には簡単に降ろすことが出来る。また、鉄塔の上部に設けられた足場の上を作業者が乗ったり歩いたり出来るので、塗装等の作業を行うに当たって当該作業の準備や吊り下げられた線状体等の調整などが出来、上記作業を円滑に行うことが出来る。さらに、作業が終われば、足場を下げて養生ネットを外せば簡単にこれらのものを撤去することが出来、通常の鉄塔に戻る。また、養生ネットは、足場を鉄塔の上部に上げた際、足場以下の鉄塔を被う構成のため、鉄塔の塗装や補修の位置にかかわらず、そのまま作業出来、いちいち作業の位置に合わせて養生ネットを下げる必要は無い。
【００１１】
請求項２の考案によれば、上記足場の開口部に沿って内周縁を複数の分割板体に分割し、当該複数の分割板体を起き上げ自在に設けて当該足場の開口部の大きさを拡大又は縮小自在に設けたので、末広がり等平面の大きさが変化する鉄塔であっても、難なく、当該足場を鉄塔に沿って昇降させることが出来る。
【００１２】
また、請求項３の考案によれば、上記起き上げ自在に設けた各分割板体を上記開口部上に倒した際、少なくとも当該各分割板体の上面の一部を当該鉄塔の上部から垂下した線状体の下端によって支持したので、各分割板体の支持強度が増し、当該各分割板体の上を作業者が作業に際して歩いたとしても安全であり、この足場の信頼性を高めるものである。
【００１３】
請求項４の考案によれば、上記鉄塔の上部から垂下した線状体の下端を上記足場に設けた各昇降用巻き上げ機に固定し、当該各昇降用巻き上げ機を作動させて当該線状体を巻き上げ又は繰り出して上記足場を当該鉄塔に沿って昇降自在に設けたので、簡単な器具及び操作で当該足場を鉄塔に沿って安全に昇降させることが出来る。
【００１４】
請求項５の考案によれば、上記足場の外周縁又は下面から垂下した養生ネットは、上端部をロープに固定して当該ロープを当該足場の外周縁又は下面から垂下した金車に通して当該ロープを上下させることにより、養生ネットを当該鉄塔に沿って昇降自在に設けたので、簡単で安価な器具によって円滑に、養生ネットを最適な位置に設定することが出来る。この結果、この昇降構造の信頼性を高めるものである。
【考案を実施するための最良の形態】
【００１５】
板状体の中央部に鉄塔の基部が入る大きさの開口部を有し、当該板状体の外周に手摺りを有し、作業者が当該板状体の上を歩行可能な足場を設け、当該足場を中央部の開口部に鉄塔の基部を入れて設置し、当該足場を上記鉄塔の上部から垂下した三本以上の線状体に支持させ、当該足場に当該線状体を巻き上げ又は繰り出す手段を設け、これらの線状体の長さを変化させることにより上記足場を昇降自在とし、当該足場の外周縁又は下面から当該鉄塔を略囲繞する大きさの略筒状の養生ネットを当該鉄塔に沿って垂下した。
【００１６】
これにより、鉄塔を囲繞する養生ネットを簡単に設置することが出来、この養生ネット内でチェア型ゴンドラ等を使用して鉄塔の塗装等の作業を安全、かつ円滑に行うことが出来る。また、強風等の悪天候の際には簡単に降ろすことが出来る。
【実施例１】
【００１７】
以下、この考案の実施例を図に基づいて説明する。
図２は、この考案の実施例の養生ネットを取り付ける鉄塔Ａを示す。この鉄塔Ａは、通信用のものであり、上部には、上段ステージ部２ａ及び下段ステージ部２ｂを上下に間隔をあけて設けており、その下部は、横断面正方形状で末広がりの胴体部３であって、さらに、その下は、これらの胴体部３等を支える基部４から成る。そして、この鉄塔Ａの基部４において、当該基部４を囲んで地面からパイプを使って一定高さの正方形状で中央に正方形状の開口部を有する下部足場ステージ５を設けている（図１参照）。上記上段ステージ部２ａ及び下段ステージ部２ｂは、２本の棒材を２組、図３に示すように、井桁状に組み合わせ、各棒材の各端部を正円形状の環状体１で繋いで形成している（図３では、下段ステージ部２ｂの場合を示す。）。
【００１８】
上記下部足場ステージ５上で、図４に示すように、長方形状の板体６ａを複数枚繋ぎ合わせて固定し、正方形状で中央に正方形状の開口部６ｂを設けた足場６を形成している。この足場６においては、当該足場６の開口部６ｂに沿った内周縁の一定幅を分割して複数の板体に分け、各板体６ｃの一側を軸として、各板体６ｃを略１１０度外側に起き上げ自在に設けている（図７参照、以下、「跳ね上げ床板６ｃ」と言う。）。
【００１９】
この様に、これらの各跳ね上げ床板６ｃを起き上げ自在に設けたので、鉄塔Ａの横断面の面積が小さい、鉄塔Ａの上部では、この跳ね上げ床板６ｃを倒した状態とし、鉄塔Ａの横断面の面積が大きい、鉄塔Ａの基部４などでは、跳ね上げ床板６ｃを起こした状態で使用する。この様に、鉄塔Ａの平面の大きさに応じて、この足場６の平面の大きさを変えることが出来る。
【００２０】
また、鉄塔Ａの横断面が最も大きい、足場６が鉄塔Ａの下部足場ステージ５上にある状態を図５に示す。この時、上記跳ね上げ床板６ｃは全て起こされた状態となっている。また、この足場６を昇降させる際にも、これらの跳ね上げ床板６ｃを全て起こした状態で行う。
【００２１】
また、図６に示すように、この足場６の上面上方には外周縁に沿って手すり７を設けており、さらに、図７に示すように、この足場６の四方の長方形状の板体６ａ上の外側の中央部には昇降用ワインダ８を夫々設けており、また、図８に示すように、この足場６の四方の外周縁から一定間隔で、後述する養生ネット１２を昇降させる際に使用する金車９を複数個吊り下げている。
【００２２】
さらに、図７に示すように、足場６の各昇降用ワインダ８の上方の下段ステージ部２ｂの環状体１に台付ワイヤー１０を４台夫々吊り下げ、当該各台付ワイヤー１０から垂下された各ワイヤー１０ａの下端を各昇降用ワインダ８のリールに固着させている。そして、これらの各昇降用ワインダ８を回転させることにより各ワイヤー１０ａを巻き上げてこの足場６を上昇させ、又は繰り出してこの足場６を降下させて、この鉄塔Ａに沿って昇降自在に設けている。この様にして、上記足場６を吊り足場として構成している。
【００２３】
また、図７に示すように、この足場６の外側の板体６ａ及び上記各跳ね上げ床板６ｃを開口部６ｂ上に倒した際、これらの上に作業者が乗ってもその荷重に耐えられる様に、当該足場６の板体６ａ及び各跳ね上げ床板６ｃの先端部等に、貫通孔を設けた舌片１１を設け、この舌片１１に下段ステージ部２ｂから垂下したワイヤー１１ａを係止して夫々支持している。
【００２４】
また、図８に示すように、上記足場６の四方の外周縁から吊り下げた金車９の位置から下方の下部足場ステージ５上に、図９に示すように、養生ネット１２を昇降させるモータ１３（以下、「ネット昇降用モータ１３」と言う）を夫々設けており、これらの金車９と各ネット昇降用モータ１３にエンドレスロープ１３ａを夫々掛け回している。また、上述の通り、各エンドレスロープ１３ａの一定の個所に養生ネット１２の上端縁を夫々取り付け、これらの各エンドレスロープ１３ａを上記ネット昇降用モータ１３によって回動させることにより、この養生ネット１２を鉄塔Ａに沿って昇降自在に設けている。これらのネット昇降用モータ１３及びエンドレスロープ１３ａは、図示は省略したが、四方に設けられ、養生ネット１２の四方が支持されている。また、この養生ネット１２は、上記鉄塔Ａの外周を被った筒状となっている。
【００２５】
次に、この実施例の昇降構造を使用して養生ネット１２を昇降させる。
鉄塔Ａの基部４の足場ステージ５上に有る無人状態の足場６を当該足場６の跳ね上げ床板６ｃを全て起こし上げた状態で、当該足場６に設けられた４台の昇降用ワインダ８を操作して、最上位であるこの鉄塔Ａの下段ステージ部２ｂの直ぐ下の位置まで上昇させて停止させる。この後、上記各跳ね上げ床板６ｃを、開口部６ｂ上に倒し、足場６の板体６ａと共に、下段ステージ部２ｂから垂下したワイヤー１１ａの下端を舌片１１に引っ掛けて支持する。
【００２６】
この時、上述の通り、この足場６の外周縁に吊り下げられた各金車９に掛け回された各エンドレスロープ１３ａの一部には養生ネット１２の上端縁が取り付けられているが、予め、ネット昇降用モータ１３を操作して、養生ネット１２を金車９の直ぐ下の位置まで上げておき、これにより、図１に示すように、足場６の上昇と共に養生ネット１２も延伸し、足場６から下の鉄塔Ａをすっぽり囲繞する大きさの筒状体となっている。
【００２７】
そして、この状態で、図８に示すように、別途鉄塔Ａの上段ステージ部２ａに吊り下げた数台の台付ワイヤー１４のワイヤー１４ａを鉄塔Ａの側面に垂下させ、これらの数本のワイヤー１４ａにチェア型ゴンドラ１５を固着し、これらのワイヤー１４ａによって当該チェア型ゴンドラ１５を昇降させて鉄塔Ａの塗装作業を行う。
【００２８】
これにより、鉄塔Ａの塗装の際の噴霧した塗料が強風に流されるようなことがあっても、これらの塗料は、養生ネット１２に付着して、この養生ネット１２の外にまで飛散することがない。また、これにより、作業者も安心して塗装作業が行える。また、この状態で鉄塔Ａの部材の他の補修作業も出来、その際工具等を誤って落としても養生ネットの中に落ち、事故を未然に防ぐことが出来る。
【００２９】
また、塗装作業を行う場所が鉄塔Ａの低い位置に限定されている場合であっても、足場６の位置は、鉄塔Ａの最上部の位置に設置するが、下部足場ステージ５上に設けたネット昇降用モータ１３を操作して、養生ネット１２の位置を全体的に下げることも出来る。この様にして、養生ネット１２の高さを調整してもよい。もちろん、養生ネット１２は、上記最上位にある状態で、この鉄塔Ａをすっぽり囲繞しているので、この状態で作業を行っても良い。
【００３０】
そして、養生ネット１２を降下させるには、まず、最初に各ネット昇降用モータ１３を操作して、この養生ネット１２を下部足場ステージ５の位置まで降下させる。この後、足場６の板体６ａ及び跳ね上げ床板６ｃを支持している各ワイヤー１１ａの係止を解除し、各跳ね上げ床板６ｃを全て起こし上げて、その後、無人状態とした足場６を、４台の昇降用ワインダ８を操作して、下部足場ステージ５の位置まで降下させる。もちろん、この時、養生ネット１２を足場６と共に降下させることも出来る。
【００３１】
なお、上記実施例においては、ステージが平面円形状の環状体１を有する上段ステージ部２ａと下段ステージ部２ｂの２段になった通信用の鉄塔Ａを使用して説明を行ったが、この考案の養生ネット１２の昇降構造は、送電用の鉄塔においても、もちろん使用できるものである。その際、鉄塔上部のステージが平面円形状でなくても、各台付ワイヤーを吊り下げられる個所があれば良い。
【００３２】
また、上記実施例では、下段ステージ部２ｂの環状体１に設けた台付ワイヤー１０によって足場６を吊り下げているが、図８において点線１０ｂで示すように、上段ステージ部２ａに台付ワイヤー１０を設けて吊り下げるようにしてもよく、また、当該足場６を吊り下げるのに、足場６上に設置した昇降用ワインダ８によって行ったが、足場６を吊り下げるのは足場６上に設置した昇降用ワインダ８に限るものではなく、例えば、下部足場ステージ５上に設けたものでもよい。
【００３３】
さらに、分割板として、跳ね上げ床板６ｃを使用したが、分割板は必ずしも、跳ね上げ床板６ｃと同様の構成にする必要は無く、分割出来る板体なら他の構成でもよい。また、足場６を形成するのに、鉄塔Ａの基部４を囲んで下部足場ステージ５を設け、その上で、当該足場６を設けているが、下部足場ステージ５は必ずしも必要ではなく、地面の上で直に、足場６を設けるようにしても良いし、他の支持台の様なものの上で設けてもよい。
【００３４】
さらに、足場６を鉄塔Ａから垂下する線状体として台付ワイヤー１０、ワイヤー１０ａを使用し、また、足場６の跳ね上げ床板６ｃ等を支持するのに、ワイヤー１１ａを使用しているが、線状体としては、これらのものに限るわけではなく、上記のものを吊り下げるのに必要な強度や耐久性を有するものであれば、鎖など他のものでも良よい。また、跳ね上げ床板６ｃの他、当該足場６の外側の板体６ａも吊り下げる構成としたが、足場６の負荷に対する強度に問題がなければ、必ずしも上記足場６の外側の板体６ａは吊り下げる構成としなくても良い。
【００３５】
また、養生ネット１２の形状としては、略筒状であれば良く、その横断面は四角形状でも、丸形状でも良い。さらに、上記実施例においては、跳ね上げ床板６ｃ、足場６に設けた昇降用巻き上げ機８、鉄塔Ａの基部４に設けたネット昇降用モータ１３、エンドレスロープ１３ａ等を使用したが、これらの構成は、必ずしも全て採用する必要はなく、夫々選択して採用するようにしても良い。また、上記実施例では足場６を板体６ａ及び跳ね上げ床板６ｃで構成したが、これらは板に限らず、パンチメタル、金網状のもの等板状体であればよい。
【図面の簡単な説明】
【００３６】
【図１】この考案の実施例の養生ネットを鉄塔に昇降自在に取り付けた状態の正面図である。
【図２】この考案の実施例の養生ネットを取り付ける通信用の鉄塔の正面図である。
【図３】この考案の実施例の通信用の鉄塔の下段ステージ部の平面端面図である。
【図４】この考案の実施例の通信用の鉄塔に被冠した足場の平面図である。
【図５】この考案の実施例の足場の跳ね上げ床板を起こした状態の平面図である。
【図６】この考案の実施例の足場の側面図である。
【図７】この考案の実施例の足場を昇降用巻き上げ機によって昇降自在に設けた状態を示す一部側面図である。
【図８】この考案の実施例の足場の外周縁に金車を介して養生ネットを昇降自在に取り付けた状態を示す一部側面図である。
【図９】この考案の実施例の下部足場ステージ上に設けたネット昇降用モータとエンドレスロープによって養生ネットを昇降自在に設けた状態を示す一部側面図である。
【符号の説明】
【００３７】
Ａ    鉄塔
４    鉄塔の基部                        ６    足場
６ｂ  足場の開口部                      ６ｃ  跳ね上げ床板
８    昇降用ワインダ                    ９    金車
１０    台付ワイヤー                    １０ａ  ワイヤー
１１ａ  ワイヤー                        １２    養生ネット
１３    ネット昇降用モータ              １３ａ  エンドレスロープ
【図１】
0003122935.tif 000003
【図２】
0003122935.tif 000004
【図３】
0003122935.tif 000005
【図４】
0003122935.tif 000006
【図５】
0003122935.tif 000007
【図６】
0003122935.tif 000008
【図７】
0003122935.tif 000009
【図８】
0003122935.tif 000010
【図９】
0003122935.tif 000011